(57)【特許請求の範囲】
【請求項１】
遊技基板と別に形成された化粧板を遊技基板の前面側に設けたパチンコ機の遊技盤において、遊技基板は合成樹脂よりなる方形状の前面側に内外誘導レールと内外誘導レールで囲まれた内側の遊技領域および複数の入賞口部を備え、遊技領域は内外誘導レールの前面側よりも後側に１個の球の直径程度の寸法だけ落し込まれた意匠盤面を形成し、複数の入賞口部は遊技領域より前側に突出する溝状壁で囲まれた遊技領域に前後に貫通した球取込孔を備えた形態であって、化粧板は透視性を有する合成樹脂よりなる方形状の面に前記遊技基板の内外誘導レールや複数の入賞口部のそれぞれと対応する化粧部を印刷で形成した形態であって、化粧板が遊技基板の前面側を覆うことによって、化粧板の化粧部が内外誘導レールや複数の入賞口部における溝状壁の前面側および溝状壁で囲まれた球取込孔の前面側を覆い、化粧板と遊技基板の遊技領域との間に球の飛び交う空間が形成されたことを特徴とするパチンコ機の遊技盤。
【請求項２】
遊技基板における複数の入賞口部を構成する溝状壁の周囲の意匠領域には、意匠的な模様を形成したことを特徴とする請求項１記載のパチンコ機の遊技盤。
【発明の詳細な説明】
【０００１】
【発明の属する技術分野】
本発明はパチンコ機の遊技盤に関する。
【０００２】
【従来の技術】
図９は特開平１０−１２７８６４号公報や特許第２７９６２０４号公報で開示された遊技盤を示す。図９において、１０１は方形状の遊技基板、１０２は遊技盤の意匠盤面に配置されたガイドレール、１０３はガイドレール１０２で囲まれた内側の遊技領域、１０４はガイドレール１０２の周囲の非遊技領域、１０５は合成樹脂よりなる前飾り、１０６はガイドレール１０２を囲む丸窓、１０７は丸窓１０６の周囲に配置された賞球表示灯部、１０８は丸窓１０６の周囲に配置された完了表示灯部である。
【０００３】
【発明が解決しようとする課題】
図９の従来例は、非遊技領域１０４に配置される賞球表示灯部１０７や完了表示灯部１０８等を有する装飾体である前飾り１０５が遊技基板１０１より分離形成されており、パチンコ機の異なる機種間で前飾り１０５を共通に使用する構造であるため、遊技基板１０１と前飾り１０５とを止ねじのような固定具で組付ける作業が面倒であった。
【０００４】
そこで、本発明は、遊技基板への取付部品を少なくできる遊技盤を提供するものである。
【０００５】
【課題を解決するための手段】
本発明にあっては、遊技基板と別に形成された化粧板を遊技基板の前面側に設けたパチンコ機の遊技盤において、遊技基板は合成樹脂よりなる方形状の前面側に内外誘導レールと内外誘導レールで囲まれた内側の遊技領域および複数の入賞口部を備え、遊技領域は内外誘導レールの前面側よりも後側に１個の球の直径程度の寸法だけ落し込まれた意匠盤面を形成し、複数の入賞口部は遊技領域より前側に突出する溝状壁で囲まれた遊技領域に前後に貫通した球取込孔を備えた形態であって、化粧板は透視性を有する合成樹脂よりなる方形状の面に前記遊技基板の内外誘導レールや複数の入賞口部のそれぞれと対応する化粧部を印刷で形成した形態であって、化粧板が遊技基板の前面側を覆うことによって、化粧板の化粧部が内外誘導レールや複数の入賞口部における溝状壁の前面側および溝状壁で囲まれた球取込孔の前面側を覆い、化粧板と遊技基板の遊技領域との間に球の飛び交う空間が形成されたことを特徴としている。よって、本発明によれば、遊技基板の遊技領域から遊技部品を組付けるためのフランジを除去することが可能となり、当該フランジを除去すれば、遊技領域内での球の移動が円滑となって入賞口に入賞しやすくなり、遊技性が向上するうえ、化粧板の化粧部が内外誘導レールや複数の入賞口部における溝状壁の前面側および溝状壁で囲まれた球取込孔の前面側を覆うので、遊技盤を前側から見た場合、入賞口部における溝状壁の前側および溝状壁で囲まれた球取込孔が化粧板の化粧部で覆い隠され、入賞口部の裏側の機構を遊技者から遮断することができる。又、本発明にあっては、遊技基板における複数の入賞口部を構成する溝状壁の周囲の意匠領域には、意匠的な模様を形成すれば、意匠的な模様が遊技領域を落下する遊技球に複雑な動きをさせることができる。
【０００６】
【発明の実施の形態】
図１〜図８は本発明の一実施形態であって、図１は遊技盤１を分解した外観を示し、図２は遊技盤１の正面を示し、図３は遊技基板２の正面を示し、図４は遊技基板２の背面を示し、図５は図２をＡ−Ａ線に沿い切断した断面を示し、図６は図２をＢ−Ｂ線に沿い切断した断面を示し、図７は図２をＣ−Ｃ線に沿い切断した断面を示し、図８は図２をＤ−Ｄ線に沿い切断した断面を示す。
【０００７】
図１を参照し、遊技盤１について説明する。遊技盤１は合成樹脂よりなる方形状の遊技基板２の前面側に内誘導レール３、外誘導レール４、左右表示灯部５；６、天入賞口部７、表示ユニット窓８、左右上側普通入賞口部９；１０、始動入賞口部１１、左右下側入賞口部１２；１３、大入賞口と呼ばれる変動入賞口部１４、アウト口１５、天釘１６、命釘１７；１８；１９；２０；２１、賞球表示灯窓２２、完了表示灯窓２３、遊技説明貼付部２４、証紙貼付部２５等の遊技部品を備え、遊技基板２の前面側に遊技基板２とは別に形成された化粧板４０を備える。遊技基板２における前面の内外誘導レール３；４で囲まれた内側が遊技領域２７であり、内外誘導レール３；４の周囲外側が非遊技領域２８である。遊技領域２７は内外誘導レール３；４の前面側よりも後側に１個の球の直径程度の寸法だけ落し込まれた意匠盤面を形成する。非遊技領域２８は内外誘導レール３；４の前面側より横方向に張出形成される。
【０００８】
内誘導レール３と外誘導レール４とは遊技領域２７の径方向に段差状に形成されたストッパ２９を介して互いに連なる渦巻きを形成し、渦巻きの外側の巻端側を形成する外誘導レール４と渦巻きの内側の巻端側を形成する内誘導レール３とは渦巻きの径方向に所定間隔で相対峙した誘導通路３０を形成し、誘導通路３０は図外の球発射装置により発射された球を下部の取込口３１から上部の放出口３２を経由して遊技領域２７内に放出する。誘導通路３０の内外誘導レール３；４に繋がる平坦な弧状面は遊技領域２７の意匠盤面に平坦に連なる。遊技基板２は裏側面一側部より裏側に窪む基板側ヒンジ３３を有し、他側部に基板側係合部３４を備える。
【０００９】
化粧板４０は透視性を有する合成樹脂よりなる方形状の裏側面に、内外誘導レール３；４、天入賞口部７、左右上側普通入賞口部９；１０、始動入賞口部１１、左右下側入賞口部１２；１３、遊技説明貼付部２４や証紙貼付部２５以外の非遊技領域２８と対応する化粧部４１；４２；４３；４４；４５；４６；４７を印刷で形成し、化粧部４１〜４７以外の部分を透視部４８：４９：５０として形成する。化粧板４０は裏側面一側部より裏側に突出した化粧側ヒンジ５１を有し、他側部に化粧側係合部５２を備える。
【００１０】
そして、化粧側ヒンジ５１が基板側ヒンジ３３に装着され、化粧板４０が遊技基板２に前側横方向に開閉可能に取付けられ、化粧板４０を閉じることで、化粧側係合部５２が基板側係合部３４に嵌め込まれ、化粧板４０の閉状態が保持され、化粧板４０が遊技基板２の前面側を覆う。その状態において、図２に示すように、化粧部４１〜４７が内外誘導レール３；４、天入賞口部７、左右上側普通入賞口部９；１０、始動入賞口部１１、左右下側入賞口部１２；１３、遊技説明貼付部２４や証紙貼付部２５以外の非遊技領域２８それぞれの前側の意匠を表現し、化粧板４０の透視領域４８〜５０を通して遊技基板２の誘導通路３０、遊技領域２７、表示ユニット窓８、命釘１７〜２１、変動入賞口部１４、遊技説明貼付部２４及び証紙貼付部２５を視認し得る。化粧板４０を開けて遊技領域２７内での球詰りを解消することができる。
【００１１】
図３を参照し、遊技基板２の前側について説明する。左表示灯部５は内誘導レール３と遊技領域２７とに連なって前側に突出する周壁６１とで囲まれた前後に貫通した内部孔６２を備え、右表示灯部６は内誘導レール３と遊技領域２７とに連なって前側に突出する周壁６３とで囲まれた前後に貫通した内部孔６４を備える。左右表示灯部５；６の裏側には図外の表示灯基板が個別に固定的に取付けられ、各表示灯基板に実装された図外の表示灯が内部孔６２；６４に個別に格納される。天入賞口部７は、遊技領域２７より前側に突出する笠状壁６５、笠状壁６５と遊技領域２７とに連なって前側に突出する溝状壁６６とで囲まれた前後に貫通する球取込孔６７を備える。表示ユニット窓８は遊技領域２７を前後に貫通する四角な孔である。表示ユニット窓８の裏側には図外の液晶のようなフラットタイプの表示器を備えた表示装置Ｄ（図６参照）が固定的に取付けられ、表示器の画面に表示された絵合せ遊技に用いられる図柄のような画像が表示ユニット窓８を通して遊技基板２の前側より視認し得る。
【００１２】
左上側普通入賞口部９は遊技領域２７より前側に突出する溝状壁６８で囲まれた遊技領域２７に前後に貫通した球取込孔６９を備え、右上側普通入賞口部１０は遊技領域２７より前側に突出する溝状壁７０で囲まれた遊技領域２７に前後に貫通した球取込孔７１を備え、始動入賞口部１１は遊技領域２７より前側に突出する溝状壁７２で囲まれた遊技領域２７に前後に貫通した球取込孔７３を備え、左下側入賞口部１２は遊技領域２７より前側に突出する溝状壁７４で囲まれた遊技領域２７に前後に貫通した球取込孔７５を備え、右下側入賞口部１３は遊技領域２７より前側に突出する溝状壁７６で囲まれた遊技領域２７に前後に貫通した球取込孔７７を備える。変動入賞口部１４は遊技領域２７に前後に貫通した横長な球取込孔７８に遊技基板２とは別に形成された開閉体７９の下部両側を回転可能に装着した形態である。開閉体７９は遊技基板２の裏側に固定的に取付けられた図外の電磁ソレノイドのようなアクチュエータで開閉される。アウト口１５は内誘導レール３の下部に沿い遊技領域２７に前後に貫通する球取込孔である。
【００１３】
天釘１６及び命釘１７〜２１は金属製の無頭状の棒状であって、天釘１６及び命釘１７〜２１を遊技基板２を形成する型の内部に配置し、型の内部に遊技基板２の樹脂材料を流し込むことにより、遊技基板２に設けられる、インサート成形により遊技基板２に固定される。この遊技基板２が型で成形された後に離型することにより、遊技基板２の前面側には内誘導レール３、外誘導レール４、左右表示灯部５；６、天入賞口部７、表示ユニット窓８、左右上側普通入賞口部９；１０、始動入賞口部１１、左右下側入賞口部１２；１３、大入賞口と呼ばれる変動入賞口部１４、アウト口１５、天釘１６、命釘１７〜２１、賞球表示灯窓２２、完了表示灯窓２３、遊技説明貼付部２４、証紙貼付部２５等の遊技部品が単一体として形成される。
【００１４】
賞球表示灯窓２２と完了表示灯窓２３とは非遊技領域２８の上部左右に個別に配置された左右対称な形状で非遊技領域２８に前後に貫通した孔である。賞球表示灯窓２２の裏側と完了表示灯窓２３の裏側とには図外の表示灯基板が個別に固定的に取付けられ、各表示灯基板に実装された図外の表示灯が左右表示灯部５；６に個別に格納される。遊技説明貼付部２４と証紙貼付部２５とは非遊技領域２８の下部左右に個別に配置された非遊技領域２８より裏側への窪みである。遊技説明貼付部２４には遊技説明の記載された図外のシールが貼付され、証紙貼付部２５には公的機関で許可を受けた遊技盤１であることを証明することの記載された図外のシールが貼付される。
【００１５】
図４を参照し、遊技基板２の裏側について説明する。遊技基板２の裏側面には、遊技基板２の周囲を縁取る周壁８０、左右表示灯部５；６の内部孔６２；６４を縁取る周壁８１；８２、表示ユニット窓８を縁取る周壁８３、変動入賞口部１４の球取込孔７８を縁取る周壁８４、アウト口１５を縁取る周壁８５、複数の入賞球誘導樋８６；８７；８８；８９、天釘支持部９０、複数の命釘支持部９１；９２；９３；９４；９４’を備える。入賞球誘導樋８６は天入賞口部７の球取込孔６７より遊技基板２の裏側に排出される球を入賞球誘導樋８７側に誘導する。入賞球誘導樋８８は入賞球誘導樋８６より落下される球や右上側普通入賞口部１０の球取込孔７１や始動入賞口部１１の球取込孔７３より遊技基板２の裏側に排出される球を入賞球誘導樋８７側に誘導する。
【００１６】
入賞球誘導樋８７は入賞球誘導樋８６；８８より落下される球や左上側普通入賞口部９の球取込孔６９や左下側入賞口部１２の球取込孔７５より遊技基板２の裏側に排出される球を所定方向に誘導する。入賞球誘導樋８７の下部には球を本体側に誘導する連絡樋９５を備える。入賞球誘導樋８９は右下側普通入賞口部１３の球取込孔７７より遊技基板２の裏側に排出される球を本体側に誘導する連絡樋の機能を有する。周壁８４は変動入賞口部１４の球取込孔７８より遊技基板２の裏側に排出される球を所定方向に誘導する。周壁８４の裏側面には特別球検出器９６やテンカウントスイッチのような所定個数の球数を計数するために用いられる球検出器９７を備えた蓋９８が後付けされ、蓋９８よりも下部の周壁８４には球を本体側に誘導する連絡樋９９を備える。周壁８５はアウト口１５より遊技基板２の裏側に排出される球を本体側に誘導する連絡樋の機能を有する。
【００１７】
周壁８０〜８５や入賞球誘導樋８６〜８９及び連絡樋９５;９９は遊技基板２の裏面側に設けられた遊技部品である。これらの遊技部品や天釘支持部９０及び命釘支持部９１〜９４は、遊技基板２が型で成形された後に離型することにより、図３における遊技基板２の前面側の内誘導レール３、外誘導レール４、左右表示灯部５；６、天入賞口部７、表示ユニット窓８、左右上側普通入賞口部９；１０、始動入賞口部１１、左右下側入賞口部１２；１３、大入賞口と呼ばれる変動入賞口部１４、アウト口１５、天釘１６、命釘１７〜２１、賞球表示灯窓２２、完了表示灯窓２３、遊技説明貼付部２４、証紙貼付部２５等の遊技部品と同じように、遊技基板２の裏側面に遊技基板２と一緒の単一体として形成される。
【００１８】
図５に示すように、開閉体７９は仮想線示の開位置と実線示の閉位置とに開閉し、閉じることで球を遊技領域２７から大入賞口部１４に取込むことは不可能となり、開くことで球を遊技領域２７から大入賞口部１４に取込むことは可能となる。この開閉体７９の開閉動作や球の大入賞口部１４への入賞動作は化粧体４０の前側より透視部４８を通して視認し得る。図６に示すように、天入賞口部７における笠状壁６５や溝状壁６６及び球取込口７７は化粧部４２で覆われ、球の大入賞口部１４への入賞動作は化粧体４０の前側より透視部４８を通して視認し得る。図７に示すように、普通入賞口部１０における溝状壁７０及び球取込口７１は化粧部４４で覆われ、球の普通入賞口部１０への入賞動作は化粧体４０の前側より透視部４８を通して視認し得る。図８に示すように、右表示灯部６における周壁６や内部孔６４及び非遊技領域２８は化粧部４１で覆われ、右表示部６に配置された図外の表示灯から照射された光が化粧部４１を透過して化粧体４０の前側より視認し得る。
【００１９】
遊技部品は遊技部品とは別に予め形成しておき、当該遊技部品を遊技基板２を形成する型の内部に配置し、型の内部に遊技基板２の樹脂材料を流し込むことにより、当該遊技部品が遊技基板２に設けられるインサート成形により遊技基板２と一緒になった単一体として形成しても良い。
【００２０】
図１の遊技基板２の前側に設けられる天入賞口部７、左右上下普通入賞口部９；１０；１２；１３、始動入賞口部１１それぞれの周囲における遊技領域２７には型による意匠を形成し、当該意匠面に色入れと呼ばれる彩色技法や化粧シールを貼付して当該遊技部品の遊技領域２７に配置されるフランジ部を模しても良い。又、凹凸の模様を遊技領域２７に設けることにより、落下する遊技球に釘と遊技領域２７に設けられた凹凸面とにより複雑な動きをさせることができる。
【００２１】
図１や図２における網掛された化粧部４１〜４７は透視性を有する合成樹脂板に化粧シールを貼付しても同様に適用できる。
【図面の簡単な説明】
【図１】本発明の実施形態の遊技盤を示す分解斜視図。
【図２】同実施形態の遊技盤を示す正面図。
【図３】同実施形態の遊技基板を示す正面図。
【図４】同実施形態の遊技基板を示す背面図。
【図５】図２のＡ−Ａ線断面図。
【図６】図２のＢ−Ｂ線断面図。
【図７】図２のＣ−Ｃ線断面図。
【図８】図２のＤ−Ｄ線断面図。
【図９】従来例を示す断面図。
【符号の説明】
１  遊技盤
２  遊技基板
３  内誘導レール（遊技部品）
４  外誘導レール（遊技部品）
５  左表示灯部（遊技部品）
６  右表示灯部（遊技部品）
７  天入賞口部（遊技部品）
８  表示ユニット窓（遊技部品）
９  右上側普通入賞口部（遊技部品）
１０  右上側普通入賞口部（遊技部品）
１１  始動入賞口部（遊技部品）
１２  左下側入賞口部（遊技部品）
１３  右下側入賞口部（遊技部品）
１４  変動入賞口部（遊技部品）
１５  アウト口（遊技部品）
１６  天釘（遊技部品）
１７〜２１  命釘（遊技部品）
２２  賞球表示灯窓（遊技部品）
２３  完了表示灯窓（遊技部品）
２４  遊技説明貼付部（遊技部品）
２５  証紙貼付部２５（遊技部品）
８０〜８５  周壁（遊技部品）
８６〜８９  入賞球誘導樋（遊技部品）
９５；９９  連絡樋（遊技部品）
【図１】
0003589290.tif 000002
【図２】
0003589290.tif 000003
【図３】
0003589290.tif 000004
【図４】
0003589290.tif 000005
【図５】
0003589290.tif 000006
【図６】
0003589290.tif 000007
【図７】
0003589290.tif 000008
【図８】
0003589290.tif 000009
【図９】
0003589290.tif 000010